(57)【特許請求の範囲】
【請求項１】
机の背後又は机天板上に収納棚を立設した棚付き実験台において、机天板上で使用する実験器具を保持するための支持杆を収納棚に取付けてなる支持装置であって、前記収納棚に沿って横方向に延びる装着部を設け、該装着部の適所に取付具を装着するとともに、該取付具に前後方向に突出長さを調節可能に前記支持杆を取付けてなることを特徴とする棚付き実験台における実験器具の支持装置。
【請求項２】
前記装着部が、前記棚板下面に設けた支持レール又は棚板自体に形成したレール状凹溝又は棚板の前框と前後中間下面に突設した横補強部材又は棚板下面に沿って設けた排気ダクトの前縁部である請求項１記載の棚付き実験台における実験器具の支持装置。
【請求項３】
前記装着部が、前記棚板の前框と前後中間下面に突設した横補強部材であり、前記前框は前面板の下縁から後方へ延びた下片と該下片の後縁から上方へ延びた立片とを有するとともに、前記横補強部材は前記前框の後方で間隔を隔てた位置に前記下片と略面一の下面板を有し、前記取付具は、略水平な基板の前後縁に折曲板をそれぞれ上向き折曲するとともに、前側折曲板の上縁に前記前框の立片に係止する係止片を折曲形成し且つ前側折曲板に前記支持杆を遊挿する大径孔を形成し、前記前框と横補強部材間に位置する後側折曲板に前記支持杆を嵌挿する小径孔を形成し、前記基板に下方より螺合した締付ネジの先端で前記支持杆を押圧し、該支持杆を前記前框の下片と横補強部材の下面板に圧接してなる請求項１又は２記載の棚付き実験台における実験器具の支持装置。
【請求項４】
前記装着部が、棚板下面に沿って設けた排気ダクトの前縁部であり、該排気ダクトの前縁部は底板の前縁から上方へ延びた前板を有し且つ該前板の前縁から後方へ延びた補強縁を有し、前記取付具は、略水平な基板の前後縁に折曲板をそれぞれ上向き折曲するとともに、前記排気ダクトの前板に沿って上方へ延びた前側折曲板の上縁に前記補強縁に係止する係止部を折曲形成し且つ前側折曲板に前記支持杆を遊挿する大径孔を形成し、前記排気ダクトの底板に向けて延びた後側折曲板に前記支持杆を上端が突出状態で嵌挿する切欠孔を形成し、前記基板に下方より螺合した締付ネジの先端で前記支持杆を押圧し、該支持杆を前記排気ダクトの底板に圧接してなる請求項１又は２記載の棚付き実験台における実験器具の支持装置。
【発明の詳細な説明】
【０００１】
【発明の属する技術分野】
本発明は、棚付き実験台における実験器具の支持装置に係わり、更に詳しくは例えば机の背後又は机天板上に試薬棚等の収納棚を立設した棚付き実験台で、机天板上で使用する実験器具を保持するための支持杆を収納棚に取付けてなる支持装置に関する。
【０００２】
【従来の技術】
従来の棚付き実験台における実験器具の支持装置は、支持杆の基端部に、取付板を該支持杆の長手方向に対して平行又は直角に溶接したものを用い、該取付板を収納棚の前側支柱の側面又は前面にネジ止めして取付け、複数の支持杆を収納棚から前方へ突出させ、該支持杆の先端部に複数の取付杆を縦横に連結した、いわゆるスタッチーフを構成していた。
【０００３】
しかし、前記収納棚に対する支持杆の取付構造は、収納棚の支柱を利用してネジ止めした固定式であるため、支持杆の取付位置に対する自由度が少なく、支持する実験器具が少ない場合でも、収納棚の全面にスタッチーフが設けられることになり、机天板上のスペースの有効利用が図れない。つまり、収納棚の前面の一部のみにスタッチーフを設けることは不可能であった。
【０００４】
更に、収納棚に対する支持杆の突出長さも固定的であるため、支持する実験器具の大きさや種類に応じて支持杆を最適な突出長さに設定することも不可能であった。
【０００５】
【発明が解決しようとする課題】
本発明が前述の状況に鑑み、解決しようとするところは、机の背後又は机天板上に収納棚を立設した棚付き実験台において、机天板上で使用する実験器具を保持するための支持杆を収納棚に取付けてなる支持装置において、収納棚の横方向で任意の位置に支持杆を確実に取付けることができるとともに、収納棚に対する支持杆の突出長さを簡単に調節することが可能である棚付き実験台における実験器具の支持装置を提供する点にある。
【０００６】
【課題を解決するための手段】
本発明は、前述の課題解決のために、机の背後又は机天板上に収納棚を立設した棚付き実験台において、机天板上で使用する実験器具を保持するための支持杆を収納棚に取付けてなる支持装置であって、前記収納棚に沿って横方向に延びる装着部を設け、該装着部の適所に取付具を装着するとともに、該取付具に前後方向に突出長さを調節可能に前記支持杆を取付けてなる棚付き実験台における実験器具の支持装置を構成した。
【０００７】
ここで、前記装着部が、前記棚板下面に設けた支持レール又は棚板自体に形成したレール状凹溝又は棚板の前框と前後中間下面に突設した横補強部材又は棚板下面に沿って設けた排気ダクトの前縁部であることが好ましい。
【０００８】
更に具体的には、前記装着部が、前記棚板の前框と前後中間下面に突設した横補強部材であり、前記前框は前面板の下縁から後方へ延びた下片と該下片の後縁から上方へ延びた立片とを有するとともに、前記横補強部材は前記前框の後方で間隔を隔てた位置に前記下片と略面一の下面板を有し、前記取付具は、略水平な基板の前後縁に折曲板をそれぞれ上向き折曲するとともに、前側折曲板の上縁に前記前框の立片に係止する係止片を折曲形成し且つ前側折曲板に前記支持杆を遊挿する大径孔を形成し、前記前框と横補強部材間に位置する後側折曲板に前記支持杆を嵌挿する小径孔を形成し、前記基板に下方より螺合した締付ネジの先端で前記支持杆を押圧し、該支持杆を前記前框の下片と横補強部材の下面板に圧接してなるものである。
【０００９】
あるいは、前記装着部が、棚板下面に沿って設けた排気ダクトの前縁部であり、該排気ダクトの前縁部は底板の前縁から上方へ延びた前板を有し且つ該前板の前縁から後方へ延びた補強縁を有し、前記取付具は、略水平な基板の前後縁に折曲板をそれぞれ上向き折曲するとともに、前記排気ダクトの前板に沿って上方へ延びた前側折曲板の上縁に前記補強縁に係止する係止部を折曲形成し且つ前側折曲板に前記支持杆を遊挿する大径孔を形成し、前記排気ダクトの底板に向けて延びた後側折曲板に前記支持杆を上端が突出状態で嵌挿する切欠孔を形成し、前記基板に下方より螺合した締付ネジの先端で前記支持杆を押圧し、該支持杆を前記排気ダクトの底板に圧接してなるものである。
【００１０】
【発明の実施の形態】
次に本発明の実施形態を添付図面に基づき更に詳細に説明する。図１は棚付き実験台に本発明に係る実験器具の支持装置を適用した例を示し、図２〜図６はその代表的実施形態の要部を示し、図中符号Ａは実験台、１は実験台Ａを構成する机、２は実験台Ａを構成する収納棚、３は装着部、４は取付具、５は支持杆をそれぞれ示している。
【００１１】
前記実験台Ａは、机１の背面に収納棚２を立設したものである。前記収納棚２は、前後左右に４本の支柱６，…立設するとともに、左右の支柱６，６間に複数の棚板７，７を多段に設けたものであり、最上段の棚板７は収納棚２の天板となり、最下段の棚板７は地板となっている。また、中段の棚板７は前記机１の机天板８と高さを一致させ、その上方の棚板７の下面に沿って箱状の排気ダクト９を設けている。また、前側の前記支柱６，６の前面であって机天板８よりも上位には、多数のコンセント１０，…を内蔵し、各種の計測機器やパソコン等を使用できるようになっている。
【００１２】
本発明の実験器具の支持装置は、前記収納棚２に沿って横方向に延びる装着部３を設け、該装着部３の適所に取付具４を装着するとともに、該取付具４に前後方向に突出長さを調節可能に前記支持杆５を取付けたものであり、収納棚２から前方に突出した複数の前記支持杆５，…を利用し、その先端部に複数の取付杆１１，…を取付けてスタッチーフを構成するのである。前記取付杆１１には、フラスコや管部材等の実験器具を取付け、各種の実験、試験を行えるようになっている。
【００１３】
前記収納棚２に沿って横方向に設けた前記装着部３としては、図２、図３及び図５に示すように、前記棚板７の前框１２と前後中間下面に突設した横補強部材１３をそのまま利用し、第１取付具４Ａにて支持杆５を取付けるもの、又は図２、図４及び図６に示すように、前記棚板７の下面に沿って設けた排気ダクト９の前縁部１４を利用し、該前縁部１４に第２取付具４Ｂにて支持杆５を取付けるものが、棚板７等に何ら設計変更を施すことなく既存の構造をそのまま装着部３として利用できるので好ましい。尚、後述のように、前記棚板７の下面に設けた支持レール又は棚板自体に形成したレール状凹溝を装着部３とすることも可能である。
【００１４】
具体的には、前記前框１２は、前面板１５の下縁から後方へ延びた下片１６と該下片１６の後縁から上方へ延びた立片１７とを有するとともに、前記横補強部材１３は前記前框１２の後方で間隔を隔てた位置に前記下片１６と略面一の下面板１８を有した構造のものである。そして、前記第１取付具４Ａは、略水平な基板１９の前後縁に折曲板２０，２１をそれぞれ上向き折曲するとともに、前側折曲板２０の上縁に前記前框１２の立片１７に係止する係止片２２を前側斜め下方へ折曲形成し且つ前側折曲板２０に前記支持杆５を遊挿する大径孔２３を形成し、前記前框１２と横補強部材１３間に位置する後側折曲板２１に前記支持杆５を嵌挿する小径孔２４を形成し、前記基板１９の前寄り位置に上下貫通させてナット部材２５を固着し、該ナット部材２５の螺孔２６に下方より締付ネジ２７を螺合したものである。尚、前記ナット部材２５を基板１９に固着せずに、直接該基板１９に螺孔を形成しても良い。
【００１５】
そして、図３に示すように、前記第１取付具４Ａの係止片２２を棚板７の前框１２の立片１７に背面側から係止し、前記締付ネジ２７を緩めた状態で、前記支持杆５を前記第１取付具４Ａの大径孔２３に遊挿するとともに、小径孔２４に嵌挿して前框１２の下片１６と横補強部材１３の下面板１８に沿わせた後、前記締付ネジ２７を締付けてその先端で前記支持杆５を押圧し、該支持杆５を前記前框１２の下片１６と横補強部材１３の下面板１８に圧接して固定するのである。この場合、前記第１取付具４Ａを装着する位置は、棚板７の横方向に沿って任意に設定することが可能であり、また収納棚２に対する支持杆５の突出長さは、前記締付ネジ２７を締付ける前に第１取付具４Ａの大径孔２３と小径孔２４に対する挿入深さにより調節することが可能である。即ち、一つの締付ネジ２７によって、支持杆５を第１取付具４Ａを介して簡単に棚板７に固定することができる。また、前記第１取付具４Ａの前側折曲板２０と係止片２２とは、前記前框１２の立片１７に沿って接合しているので、第１取付具４Ａは横方向の捩じれに対して強固である。
【００１６】
一方、前記排気ダクト９の前縁部１４は、底板２８の前縁から上方へ延びた前板２９を有し且つ該前板２９の前縁から後方へ延びた断面倒Ｌ字形の補強縁３０を有した構造である。また、前記第２取付具４Ｂは、略水平な基板３１の前後縁に折曲板３２，３３をそれぞれ上向き折曲するとともに、前記排気ダクト９の前板２９に沿って上方へ延びた前側折曲板３２の上縁に前記補強縁３０に係止する断面倒Ｌ字形の係止部３４を折曲形成し且つ前側折曲板３２に前記支持杆５を遊挿する大径孔３５を形成し、前記排気ダクト９の底板２８に向けて延びた後側折曲板３３に前記支持杆５を上端が突出状態で嵌挿する切欠孔３６を形成し、前記基板３１の前寄り位置に上下貫通させてナット部材３７を固着し、該ナット部材３７の螺孔３８に下方より締付ネジ３９を螺合したものである。尚、前記ナット部材３７を基板３１に固着せずに、直接該基板３１に螺孔を形成しても良い。
【００１７】
そして、図４に示すように、前記第２取付具４Ｂの係止部３４を排気ダクト９の前縁部１４の補強縁３０に前面側から係止し、前記締付ネジ３９を緩めた状態で、前記支持杆５を前記第２取付具４Ｂの大径孔３５に遊挿するとともに、切欠孔３６に嵌挿して排気ダクト９の底板２８に沿わせた後、前記締付ネジ３９を締付けてその先端で前記支持杆５を押圧し、該支持杆５を前記排気ダクト９の底板２８に圧接して固定するのである。この場合、前記第２取付具４Ｂを装着する位置は、排気ダクト９の横方向に沿って任意に設定することが可能であり、また収納棚２に対する支持杆５の突出長さは、前記締付ネジ３９を締付ける前に第２取付具４Ｂの大径孔３５と切欠孔３６に対する挿入深さにより調節することが可能である。
【００１８】
尚、図７に示すように、中段の棚板７の下面に沿って排気ダクト９を設けない場合には、中段の棚板７にも前記第１取付具４Ａを用いて同様に支持杆５を取付けることが可能である。
【００１９】
また、図８及び図９に示した他の実施形態は、前記装着部３として、前記棚板７の下面に横方向に、断面略Ｃ字形のチャンネル部材からなる支持レール４０を取付けたものである。そして、前記支持レール４０に取付ける第３取付具４Ｃは、一対の同形の取付金具４１，４１からなり、該取付金具４１は、中央部に前記支持杆５の半周部を嵌合する半円筒状の嵌合部４２を形成するとともに、上端部に前記支持レール４０の開口縁４３，４３に９０°回転させて係合する切欠凹部４４，４４を形成し、また下端部に通孔４５を形成したものであり、一対の前記取付金具４１，４１を支持レール４０に係合した状態で、両嵌合部４２，４２間に前記支持杆５を挟み、前記通孔４５，４５に挿通したボルト４６とナット４７で締付けて固定する構造である。
【００２０】
また、図１０及び図１１に示した他の実施形態は、前記装着部３として、前記棚板７自体にレール状凹溝４８を形成したものである。そして、前記凹溝４８に取付ける第４取付具４Ｄは、上端に前記凹溝４８にスライド移動可能に係合する係合部４９を形成したブロック体であり、下部に前後方向に貫通した嵌合孔５０を形成するとともに、側方又は下方から螺合したネジ５１の先端を該嵌合孔５０内に突出するようにしたものである。また、前記凹溝４８と係合部４９とは、アリ溝とアリの係合構造とし、該凹溝４８の適所には係合部４９を下方から凹溝４８に係合できる挿入部（図示せず）を設けている。そして、前記凹溝４８の適所に係合した第４取付具４Ｄの嵌合孔５０に、前記支持杆５を嵌挿するとともに、前記ネジ５１を螺合してその先端で支持杆５を押圧して固定するのである。
【００２１】
【発明の効果】
以上にしてなる請求項１に係る発明の棚付き実験台における実験器具の支持装置は、机の背後又は机天板上に収納棚を立設した棚付き実験台において、机天板上で使用する実験器具を保持するための支持杆を収納棚に取付けてなる支持装置であって、前記収納棚に沿って横方向に延びる装着部を設け、該装着部の適所に取付具を装着するとともに、該取付具に前後方向に突出長さを調節可能に前記支持杆を取付けてなるので、収納棚の前面の横方向おける支持杆の取付位置に対する自由度が大きいため、収納棚前面の全面又は一部のみにスタッチーフを構成することができ、支持する実験器具が少ない場合には、机天板上のスペースの有効利用を図ることができる。また、収納棚に対する支持杆の突出長さを調節できるので、実験器具に応じて収納棚から突出長さを最適に設定でき、もって机天板上のスペースの有効利用を図ることができる。
【００２２】
請求項２によれば、棚板の下面に新たに設けた装着部又は既存の構造を利用した装着部に沿って、取付具を簡単に所望位置に移動させることができる。
【００２３】
請求項３によれば、収納棚の横方向で任意の位置に支持杆を確実に取付けることができるとともに、収納棚に対する支持杆の突出長さを簡単に調節することができ、しかも既存の棚板の前框と横補強部材の構造を利用し、一つの締付ネジによって取付具を介して支持杆を強固に取付けることができる。
【００２４】
請求項４によれば、収納棚の横方向で任意の位置に支持杆を確実に取付けることができるとともに、収納棚に対する支持杆の突出長さを簡単に調節することができ、しかも既存の排気ダクトの前縁部の構造を利用し、一つの締付ネジによって取付具を介して支持杆を強固に取付けることができる。
【図面の簡単な説明】
【図１】本発明の実験器具の支持装置を適用した棚付き実験台の全体斜視図である。
【図２】同じく実験台を構成する収納棚に本発明に係る実験器具の支持装置を装着した状態の縦断面図である。
【図３】本発明に係る第１取付具によって支持棒を棚板に取付けた状態の拡大断面図である。
【図４】本発明に係る第２取付具によって支持棒をダクトに取付けた状態の拡大断面図である。
【図５】第１取付具の斜視図である。
【図６】第２取付具の斜視図である。
【図７】収納棚の上下棚板に第１取付具を用いて取付けた支持棒を利用して、実験器具の支持具を保持した状態の縦断面図である。
【図８】棚板の下面に取付けた支持レールに第３取付具を用いて支持杆を取付けた状態の部分断面図である。
【図９】同じく分解斜視図である。
【図１０】棚板の下面に形成したレール状凹溝に第４取付具を用いて支持杆を取付けた状態の部分斜視図である。
【図１１】同じく分解斜視図である。
【符号の説明】
Ａ  実験台
１  机                      ２  収納棚
３  装着部                  ４  取付具
４Ａ  第１取付具            ４Ｂ  第２取付具
４Ｃ  第３取付具            ４Ｄ  第４取付具
５  支持杆                  ６  支柱
７  棚板                    ８  机天板
９  排気ダクト              １０  コンセント
１１  取付杆                １２  前框（装着部）
１３  横補強部材（装着部）  １４  前縁部（装着部）
１５  前面板                １６  下片
１７  立片                  １８  下面板
１９  基板                  ２０  前側折曲板
２１  後側折曲板            ２２  係止片
２３  大径孔                ２４  小径孔
２５  ナット部材            ２６  螺孔
２７  締付ネジ              ２８  底板
２９  前板                  ３０  補強縁
３１  基板                  ３２  前側折曲板
３３  後側折曲板            ３４  係止部
３５  大径孔                ３６  切欠孔
３７  ナット部材            ３８  螺孔
３９  締付ネジ              ４０  支持レール（装着部）
４１  取付金具              ４２  嵌合部
４３  開口縁                ４４  切欠凹部
４５  通孔                  ４６  ボルト
４７  ナット                ４８  凹溝（装着部）
４９  係合部                ５０  嵌合孔
５１  ネジ
【図１】
0003800850.tif 000002
【図２】
0003800850.tif 000003
【図３】
0003800850.tif 000004
【図４】
0003800850.tif 000005
【図５】
0003800850.tif 000006
【図６】
0003800850.tif 000007
【図７】
0003800850.tif 000008
【図８】
0003800850.tif 000009
【図９】
0003800850.tif 000010
【図１０】
0003800850.tif 000011
【図１１】
0003800850.tif 000012